(57)【要約】      （修正有）【課題】構造が比較的に簡単な、乳房カップ部の間の距離が調節可能な前開きタイプのブラジャーを提供する。【解決手段】一対の乳房カップ部２の間で前開きタイプのブラジャーである。一対の乳房カップ部２のそれぞれの末端から対向して設けられた２本のテープ４１，５１と、それぞれのテープに設けられた雌雄部材４，５からなるアジャスターとからなる。雌部材４は、一方のテープ４１上に固定されている。雄部材５は、他方のテープ５１を構成するガイドレールと、このガイドレール上をスライド可能及び特定位置で固定可能なスライダー６からなる。スライダー６は雌部材４と係合可能なホック６１を有する。【選択図】図２
2010236105.tif 000002
【特許請求の範囲】
【請求項１】
一対の乳房カップ部（２，２）の間で前開きタイプのブラジャー（１）であって、
前記一対の乳房カップ部（２，２）のそれぞれの末端から対向して設けられた２本のテープ（４１，５１）と、それぞれのテープに設けられた雌雄部材（４，５）からなるアジャスター（３）とからなり、
前記雌部材（４）は、一方のテープ（４１）上に固定され、
前記雄部材（５）は、他方のテープ（５１）を構成するガイドレールと、このガイドレール上をスライド可能及び特定位置で固定可能なスライダー（６）からなり、
前記スライダー（６）は前記雌部材（４）と係合可能なホック（６１）を有するものであることを特徴とする、
乳房カップ部の間の距離が調節可能なブラジャー。
【請求項２】
一対の乳房カップ部（２Ｂ，２Ｂ）の間で前開きタイプのブラジャー（１Ｂ）であって、
前記一対の乳房カップ部（２Ｂ，２Ｂ）のそれぞれの末端から対向して設けられた少なくとも１本のテープ（４１Ｂ，５１Ｂ）と、このテープ又は乳房カップ部（２Ｂ）端部に設けられた雌雄部材（４Ｂ，５Ｂ）からなるアジャスター（３Ｂ）とからなり、
前記雌部材（４Ｂ）は、一方の乳房カップ部（２Ｂ）端部または隣接するテープ（４１Ｂ）上に固定されたスライダー（６Ｂ）であり、
前記雄部材（５Ｂ）は、他方のテープ（５１Ｂ）を構成するガイドレールであり、
前記スライダー（６Ｂ）は前記ガイドレール上をスライド可能及び特定位置で固定可能である、
ことを特徴とする乳房カップ部の間の距離が調節可能なブラジャー（１Ｂ）。
【請求項３】
前記スライダー（６，６Ｂ）の外方側に装飾物（７）を固定したことを特徴とする請求項１又は２のブラジャー（１Ａ）。
【発明の詳細な説明】
【技術分野】
【０００１】
本発明は、乳房カップ部の間の距離が調節可能な前開きタイプのブラジャーに関する。
【背景技術】
【０００２】
バスト体型及び左右のバスト間距離は個人差が大きく、また同じ人でも授乳の前後の乳房の大きさには変化がある。しかし、バスト間距離が固定された汎用のブラジャーではこの問題に十分対処することはできない。
【０００３】
そこで、左右のバスト間距離を調節する発明考案が幾つか提案されている。例えば、特許第２９９２４７９号、特許第３２２６８１３号、特開２００１−２９５１０６号である。
【発明の概要】
【発明が解決しようとする課題】
【０００４】
上記従来技術は概して、部品数が多く、製造コストがかさむことが欠点である。本発明は、構造が比較的に簡単な、乳房カップ部の間の距離が調節可能な前開きタイプのブラジャーを提供することを目的とする。
【課題を解決するための手段】
【０００５】
本発明請求項１は、一対の乳房カップ部の間で前開きタイプのブラジャーであって、前記一対の乳房カップ部のそれぞれの末端から対向して設けられた２本のテープと、それぞれのテープに設けられた雌雄部材からなるアジャスターとからなり、前記雌部材は、一方のテープ上に固定され、前記雄部材は、他方のテープを構成するガイドレールと、このガイドレール上をスライド可能及び特定位置で固定可能なスライダーからなり、前記スライダーは前記雌部材と係合可能なホックを有するものであることを特徴とする。
【０００６】
本発明請求項２は、一対の乳房カップ部の間で前開きタイプのブラジャーであって、前記一対の乳房カップ部のそれぞれの末端から対向して設けられた少なくとも１本のテープと、それぞれのテープに設けられた雌雄部材からなるアジャスターとからなり、前記雌部材は、一方の乳房カップ部端部または隣接するテープ上に固定されたスライダーであり、前記雄部材は、他方のテープを構成するガイドレールであり、前記スライダーは前記ガイドレール上をスライド可能及び特定位置で固定可能であることを特徴とする。
【０００７】
本発明請求項３は、請求項１又は２のブラジャーにおいて、前記スライダーの外方側に装飾物を固定したことを特徴とする。
【発明の効果】
【０００８】
請求項１の発明によれば、前開きタイプであって、乳房カップ部の間の距離が調節可能であり、しかも部品数が比較的に少なく、構造が簡単なブラジャーが得られる。
【０００９】
請求項２の発明によれば、ホックやバーが不要となるので、さらに部品点数を減らすことができる。
【００１０】
請求項３の発明によれば、異物のようにも見られるスライダーを装飾物により覆い隠し、さらに美的効果を高めることができる。
【図面の簡単な説明】
【００１１】
【図１】第１実施例に係る、乳房カップ部の間の距離が調節可能な前開きタイプのブラジャーの斜視図である。
【図２】第１実施例に係る、アジャスターの拡大斜視図である。
【図３】ブラジャー着用者側から見たアジャスター雄部材正面図と雌部材平面図である。
【図４】アジャスターの雌雄部材を組み合わせた状態の（ａ）正面図と（ｂ）断面図である。
【図５】アジャスターの雌雄部材を組み合わせた状態であって、位置調節状態を説明する（ａ）正面図と（ｂ）断面図である。
【図６】アジャスター雄部材の（ａ）左側面図、（ｂ）正面図、（ｃ）右側面図、（ｄ）背面図、（ｅ）平面図である。
【図７】第２実施例に係る、乳房カップ部の間の距離が調節可能な前開きタイプのブラジャーの斜視図である。
【図８】第３実施例に係る、乳房カップ部の間の距離が調節可能な前開きタイプのブラジャーの斜視図である。
【発明を実施するための形態】
【００１２】
以下、添付の図面に基づき、本発明の実施例を説明する。
【実施例１】
【００１３】
図１に示すように、このブラジャー１は前開きタイプであると共に、乳房カップ部２の間の距離を調節可能とするアジャスター３が左右乳房カップ部の間に設けられている。このアジャスター３の構造及び作用を図２−６により説明する。
【００１４】
図１，図２に示すように、アジャスター３は雌雄部材４，５からなる。それぞれの部材は、左右乳房カップ端部に向かい合って取り付けられた短いテープ４１，５１の上に設けられている。
【００１５】
雌部材４は、ホック・アンド・バー（カギホック）で多用される「コ」の字型のバー４２であり、一方のテープ４１に固定されている。
【００１６】
図３に示すように、雄部材５のテープはガイドレール５１であり、このガイドレール５１上をスライダー６がスライド可能であると共に、特定位置で固定可能でもある。このスライダー６の着用者側には、図６に示すように、２本のホック６１が固定されている。図３の矢印で示すように、このホック６１は雌部材のバー４２と係合可能である。この係合を外すと、ブラジャーは前開きとなり、授乳が容易となる。この実施例でホック６１が２本であるのは、デザイン的なものであり、幅広のホックを使用すれば１本でもよい。
【００１７】
図４及び図５により、さらに詳細にアジャスターを説明する。
【００１８】
ガイドレール５１は、合成樹脂製の細長い基板で、片面の長手方向中央に四角柱の浅い係止歯５２が断続的に一列に設けられている。ガイドレール５１の長手方向両脇は肉厚部５３となってガイドレール基板の強度を高めている。ガイドレール基板の遊端側にはストッパ５４が設けられていて、スライダー６が抜け出ないようにしている。
【００１９】
スライダー６は、中空の四角い箱６２であり、図６に示すように、左右側部及び上部にそれぞれ開口６３，６４がある。左右側部の開口６３はガイドレール５１の通路であって、ここを通じてスライダー６の中をガイドレール５１が貫通している。上部の開口６４からは、押動片６５のプレス用頭部６６と頸部６７が突出している。押動片６５本体は、スライダー箱６２の中に収容され、プレス用頭部６６の押圧により上下動が可能である。押動片６５本体の下部は折り曲げられて段部６８を形成している。押動片６５本体の最下部とスライダー箱底部の間に設けられた二脚バネ６９により、常態では上方に付勢されている（図４の状態）が、プレス用頭部６６が押し下げられたとき、押動片６５本体は、バネ６９の力に抗して下方に移動する（図５の状態）。
【００２０】
常態では、押動片６５本体の段部６８は、スライダー箱６２の中で、ガイドレールの係止歯５２と接触し、それによりスライダー６がガイドレール５１の特定位置で固定されている（図４（ａ）参照）。この位置を変更するには、プレス用頭部６６を押し下げて、押動片６５本体の段部６８と係止歯５２の接触を解除すればよい（図５（ａ）参照）。そうすることにより、スライダー６は再びガイドレール５１に沿って移動可能となる。適当な位置を選択してプレス用頭部６６への押圧を止めれば、その位置で再びスライダー６がガイドレール５１に固定される。
【００２１】
このように、本実施例では、プレス用頭部６６を押し下げて、スライダー６をスライドさせるだけで、乳房カップ部２，２の間の距離が調節可能となる。
【実施例２】
【００２２】
この実施例では、スライダーの外方側に装飾用の花飾り７を固定している。花飾り７の固定方法は、スライダー又はその近辺のガイドレールに対して、縫付けや接着により固定的に取り付けたり、安全ピンや引っかけ具などによって取り外し自在に取り付けたりすることができる。このようにすることにより、異物のようにも見られるスライダーを花飾り７により覆い隠し、さらに美的効果を高めることができる。
【実施例３】
【００２３】
図８は、本発明の実施例３に係るブラジャーの斜視図である。この実施例では、雌部材４Ｂとして、前記実施例で使用したスライダー６Ｂを、雄部材５Ｂとして、前記実施例１、２で使用したガイドレール５１Ｂを使用する。使用するときには、スライダー６Ｂのプレス用頭部を押し下げながら、ガイドレール５１Ｂを指で持ち、スライダー６Ｂの中の通路に挿入する。適当な位置でプレス用頭部から指を話すとその位置で固定される。（この実施例では、スライダー６Ｂはスライドしないので、もはや「スライダー」とは呼べないが、前記実施例１、２と用語を統一するために「スライダー」ということにする。）
【００２４】
スライダー６Ｂは、一方の乳房カップ部２Ｂの端部に直接または短いテープ４１Ｂを介して取り付けられる。直接取り付けるときには、例えば、金属の箱体に穴を開けその穴に貫通する糸で乳房カップ部２Ｂの端部と縫い合わせる。
【００２５】
ガイドレール５１Ｂは一端を他方の一方の乳房カップ部２Ｂに縫い付けて固定する。前記実施例１、２と異なり、遊端側末端にストッパを設けてはならない。ストッパがあると、ガイドレール５１Ｂをスライダー４Ｂの中に挿入できないからである。
【００２６】
図示しないが、実施例３についても、スライダーを装飾物で飾ることができる。
【先行技術文献】
【特許文献】
【００２７】
【特許文献１】特許第２９９２４７９号
【特許文献２】特許第３２２６８１３号
【特許文献３】特開２００１−２９５１０６号
【符号の説明】
【００２８】
１，１Ａ，１Ｂ  ブラジャー
２，２Ａ，２Ｂ  乳房カップ部
３，３Ａ，３Ｂ  アジャスター
４，４Ａ，４Ｂ  雌部材
４１   テープ
４２   バー
５，５Ａ，５Ｂ  雄部材
５１，５１Ａ，５１Ｂ テープ（ガイドレール）
５２   係止歯
５３   肉厚部
５４   ストッパ
６     スライダー
６１   ホック
６２   スライダー箱
６３   側部開口
６４   上部開口
６５   押動片
６６   プレス用頭部
６７   頸部
６８   段部
６９   二脚バネ
７    装飾物
【図１】
2010236105.tif 000003
【図２】
2010236105.tif 000004
【図３】
2010236105.tif 000005
【図４】
2010236105.tif 000006
【図５】
2010236105.tif 000007
【図６】
2010236105.tif 000008
【図７】
2010236105.tif 000009
【図８】
2010236105.tif 000010